(57)【要約】【課題】  薄型投射光学系、及びこれを採用した画像表示装置を提供する。【解決手段】  ディスプレイ素子で形成された画像の中間像を形成し、第１歪曲を発生させるリレイレンズ群と、リレイレンズ群を通過した画像を拡大投射し、第２歪曲を発生させる投射レンズ群と、投射レンズ群により拡大された画像をスクリーンに向けて広角に反射させる反射部とを備え、第１歪曲と第２歪曲は、反射部により発生する歪曲を相殺することを特徴とする投射光学系である。【選択図】      図２
2006091867.tif 000002
【特許請求の範囲】
【請求項１】
ディスプレイ素子で形成された画像の中間像を形成し、第１歪曲を発生させるリレイレンズ群と、
前記リレイレンズ群を通過した画像を拡大投射し、第２歪曲を発生させる投射レンズ群と、
前記投射レンズ群により拡大された画像をスクリーンに向けて広角に反射させる反射部とを備え、前記第１歪曲と第２歪曲は、前記反射部により発生する歪曲を相殺することを特徴とする投射光学系。
【請求項２】
前記反射部は、非球面ミラーであることを特徴とする請求項１に記載の投射光学系。
【請求項３】
前記反射部は、負の屈折力を有することを特徴とする請求項１または請求項２に記載の投射光学系。
【請求項４】
前記リレイレンズ群と投射レンズ群との間及び前記投射レンズ群と反射部との間に、光路を変換するための光路変換器が備わることを特徴とする請求項１または請求項２に記載の投射光学系。
【請求項５】
前記リレイレンズ群の内部に光路変換器がさらに備わることを特徴とする請求項４に記載の投射光学系。
【請求項６】
前記光路変換器は、ミラーまたは全反射プリズムであることを特徴とする請求項４に記載の投射光学系。
【請求項７】
前記ディスプレイ素子の光軸は、リレイレンズ群と投射レンズ群の光軸と同軸であることを特徴とする請求１項または請求項２に記載の投射光学系。
【請求項８】
前記反射部の光軸は、前記ディスプレイ素子の光軸とオフセットされていることを特徴とする請求項７に記載の投射光学系。
【請求項９】
前記第１及び第２歪曲は、糸巻き型歪曲であり、前記反射部で発生する歪曲は、樽型歪曲であることを特徴とする請求１項または請求項２に記載の投射光学系。
【請求項１０】
ディスプレイ素子で形成された画像を拡大して透過させる屈折光学系と、
前記屈折光学系から出射された画像を広角に反射させる反射光学系と、
前記ディスプレイ素子と反射光学系との間に配置され、前記反射光学系で発生する歪曲を予備的に相殺するための第１歪曲を誘導するリレイレンズ群とを備え、
前記屈折光学系は、前記第１歪曲と協同し、前記反射光学系で発生する歪曲を予備的に相殺するための第２歪曲を誘導することを特徴とする投射光学系。
【請求項１１】
前記反射光学系は、非球面ミラーであることを特徴とする請求項１０に記載の投射光学系。
【請求項１２】
前記反射光学系は、負の屈折力を有することを特徴とする請求項１０または請求項１１に記載の投射光学系。
【請求項１３】
前記リレイレンズ群と屈折光学系との間及び前記屈折光学系と反射光学系との間に光路を変換するための光路変換器が備わることを特徴とする請求項１０または請求項１１に記載の投射光学系。
【請求項１４】
前記リレイレンズ群の内部に光路変換器がさらに備わることを特徴とする請求項１３に記載の投射光学系。
【請求項１５】
前記光路変換器は、ミラーまたは全反射プリズムであることを特徴とする請求項１３に記載の投射光学系。
【請求項１６】
前記ディスプレイ素子の光軸は、リレイレンズ群と屈折光学系の光軸と同軸であることを特徴とする請求項１０または請求項１１に記載の投射光学系。
【請求項１７】
前記反射光学系の光軸は、前記ディスプレイ素子の光軸とオフセットされていることを特徴とする請求項１６に記載の投射光学系。
【請求項１８】
前記第１及び第２歪曲は、糸巻き型歪曲であり、前記反射光学系で発生する歪曲は、樽型歪曲であることを特徴とする請求項１０または請求項１１に記載の投射光学系。
【請求項１９】
光源部から出射されたビームを受光するディスプレイ素子にて入力された画像信号によって処理して画像を形成し、前記画像をスクリーンに拡大投射する画像表示装置において、
前記ディスプレイ素子で形成された画像の中間像を形成し、第１歪曲を発生させるリレイレンズ群と、
前記リレイレンズ群を通過した画像を拡大投射し、第２歪曲を発生させる投射レンズ群と、
前記投射レンズ群により拡大された画像をスクリーンに向けて広角に反射させる反射部とを備え、前記第１歪曲と第２歪曲は、前記反射部により発生する歪曲を相殺することを特徴とする画像表示装置。
【請求項２０】
前記反射部は、非球面ミラーであることを特徴とする請求項１９に記載の画像表示装置。
【請求項２１】
前記反射部は、負の屈折力を有することを特徴とする請求項１９または請求項２０に記載の画像表示装置。
【請求項２２】
前記リレイレンズ群と投射レンズ群との間及び前記投射レンズ群と反射部との間に、光路を変換するための光路変換器が備わることを特徴とする請求項１９または請求項２０に記載の画像表示装置。
【請求項２３】
前記リレイレンズ群の内部に光路変換器がさらに備わることを特徴とする請求項２２に記載の画像表示装置。
【請求項２４】
前記光路変換器は、ミラーまたは全反射プリズムであることを特徴とする請求項２２に記載の画像表示装置。
【請求項２５】
前記ディスプレイ素子の光軸は、リレイレンズ群と投射レンズ群の光軸と同軸であることを特徴とする請求項１９または請求項２０に記載の画像表示装置。
【請求項２６】
前記反射部の光軸は、前記ディスプレイ素子の光軸とオフセットされていることを特徴とする請求項２５に記載の画像表示装置。
【請求項２７】
前記第１及び第２歪曲は、糸巻き型歪曲であり、前記反射部で発生する歪曲は、樽型歪曲であることを特徴とする請求項１９または請求項２０に記載の画像表示装置。
【請求項２８】
光源部から出射されたビームを受光するディスプレイ素子にて入力された画像信号によって処理して画像を形成し、前記画像をスクリーンに拡大投射する画像表示装置において、
前記ディスプレイ素子で形成された画像を拡大して透過させる屈折光学系と、
前記屈折光学系から出射された画像を広角に反射させる反射光学系と、
前記ディスプレイ素子と反射光学系との間に配置され、前記反射光学系で発生する歪曲を予備的に相殺するための第１歪曲を誘導するリレイレンズ群とを備え、
前記屈折光学系は、前記第１歪曲と協同し、前記反射光学系で発生する歪曲を予備的に相殺するための第２歪曲を誘導することを特徴とする画像表示装置。
【請求項２９】
前記反射光学系は、非球面ミラーであることを特徴とする請求項２８に記載の画像表示装置。
【請求項３０】
前記反射光学系は、負の屈折力を有することを特徴とする請求項２８または請求項２９に記載の画像表示装置。
【請求項３１】
前記リレイレンズ群と屈折光学系、及び屈折光学系と反射光学系との間の光路上に、光路を変換するための光路変換器が少なくとも一つ備わることを特徴とする請求項２８または請求項２９に記載の画像表示装置。
【発明の詳細な説明】
【技術分野】
【０００１】
本発明は、薄型投射光学系及びこれを採用した画像表示装置に係り、さらに詳細にはディスプレイ素子で形成された画像をスクリーンに向けて広角に投射し、広角に投射するときに発生する歪曲を補正して画質を向上させると共に、薄型化された光学システム、及びこれを採用した画像表示装置に関する。
【背景技術】
【０００２】
画像表示装置は、ランプ光源から出射された光を、ディスプレイ素子で画素単位でオンオフ制御してカラー画像を形成し、このカラー画像をスクリーンに向けて拡大投射させる装置である。最近、画像表示装置は、大画面化、高画質化と共にスリム化が要求されており、かかる要求を満足させるための研究が活発に進められている。
【０００３】
画像表示装置のスリム化のために、投射光学系からの光線束の画角を広角にすることが必要である。しかし、投射光学系をスクリーンの中心部に配置する場合、投射光学系からの光線束の画角を大きくするには限界がある。このため、図１に図示されているように、投射光学系からの光線束の画角をさらに大きくして画像表示装置を薄型にするために、投射光学系２０をスクリーン４０の下部方向に傾斜するように配置する。光学エンジン１０で形成された画像が投射光学系２０を介して拡大投射されて反射ミラー３０に入射される。そして、反射ミラー３０で反射された画像がスクリーン４０に投影される。
【０００４】
上記の通り、投射光学系２０をスクリーン４０の下部方向に傾斜するように配置し、投射光学系２０から出射された画像を反射ミラー３０で反射させてスクリーン４０に送るとき、画像表示装置が非常に薄いために、投射光学系２０から出射される画像の広がり角がかなり大きくならねばならない。しかし、投射光学系２０をスクリーン４０の下部方向に位置させて画像を広角に投影すれば、歪曲が発生するので、画質が不良になるという問題点がある。従って、スクリーンを大型化すると共に、画像表示装置を薄型化し、かつ高画質の画像を提供するのには、技術的困難さが伴う。
【特許文献１】特開平１１−３２６７５５号公報
【特許文献２】特開２００３−５７５４０号公報
【発明の開示】
【発明が解決しようとする課題】
【０００５】
本発明は、前記の問題点を解決するために案出され、画像を広角に投射させ、画像を広角に投射するとき発生する歪曲を補正して画質を向上し、かつ薄型化を達成した投射光学系、及びこれを採用した画像表示装置を提供することを目的とする。
【課題を解決するための手段】
【０００６】
前記の課題を解決するために、本発明による投射光学系は、ディスプレイ素子で形成された画像の中間像を形成し、第１歪曲を発生させるリレイレンズ群と、前記リレイレンズ群を通過した画像を拡大投射し、第２歪曲を発生させる投射レンズ群と、前記投射レンズ群により拡大された画像をスクリーンに向けて広角に反射させる反射部とを備え、前記第１歪曲と第２歪曲は、前記反射部により発生する歪曲を相殺することを特徴とする。
【０００７】
前記反射部は、非球面ミラーであることが望ましい。前記反射部は、負の屈折力を有することが望ましい。
【０００８】
前記リレイレンズ群と投射レンズ群との間及び前記投射レンズ群と反射部との間に、光路を変換するための光路変換器が備わることを特徴とする。
【０００９】
前記ディスプレイ素子の光軸は、リレイレンズ群と投射レンズ群の光軸と同軸であることが望ましい。
【００１０】
前記反射部の光軸は、前記ディスプレイ素子の光軸とオフセットされていることが望ましい。
【００１１】
前記第１及び第２歪曲は、糸巻き型歪曲であり、前記反射部で発生する歪曲は、樽型歪曲であることを特徴とする。
【００１２】
前記課題を解決するために本発明による投射光学系は、ディスプレイ素子で形成された画像を拡大して透過させる屈折光学系と、前記屈折光学系から出射された画像を広角に反射させる反射光学系と、前記ディスプレイ素子と反射光学系との間に配置され、前記反射光学系で発生する歪曲を予備的に相殺するための第１歪曲を誘導するリレイレンズ群とを備え、前記屈折光学系は、前記第１歪曲と協同し、前記反射光学系で発生する歪曲を予備的に相殺するための第２歪曲を誘導することを特徴とする。
【００１３】
前記の課題を解決するために本発明による画像表示装置は、光源部から出射されたビームを受光するディスプレイ素子にて入力された画像信号によって処理して画像を形成し、前記画像をスクリーンに拡大投射する画像表示装置において、前記ディスプレイ素子で形成された画像の中間像を形成し、第１歪曲を発生させるリレイレンズ群と、前記リレイレンズ群を通過した画像を拡大投射し、第２歪曲を発生させる投射レンズ群と、前記投射レンズ群により拡大された画像をスクリーンに向けて広角に反射させる反射部とを備え、前記第１歪曲と第２歪曲は、前記反射部により発生する歪曲を相殺することを特徴とする。
【００１４】
前記課題を解決するために本発明による画像表示装置は、光源部から出射されたビームを受光するディスプレイ素子にて入力された画像信号によって処理して画像を形成し、前記画像をスクリーンに拡大投射する画像表示装置において、前記ディスプレイ素子で形成された画像を拡大して透過させる屈折光学系と、前記屈折光学系から出射された画像を広角に反射させる反射光学系と、前記ディスプレイ素子と反射光学系との間に配置され、前記反射光学系で発生する歪曲を予備的に相殺するための第１歪曲を誘導するリレイレンズ群とを備え、前記屈折光学系は、前記第１歪曲と協同し、前記反射光学系で発生する歪曲を予備的に相殺するための第２歪曲を誘導することを特徴とする。
【発明の効果】
【００１５】
本発明による投射光学系とこれを採用した画像表示装置は、屈折光学系と反射光学系とを備え、ディスプレイ素子で形成された画像を広角にスクリーンに投射することにより、画像表示装置を薄型化でき、反射光学系で発生する歪曲を相殺する歪曲をリレイレンズ群と屈折光学系とで予備的に誘導し、さらに高画質の画像を提供できる。
【発明を実施するための最良の形態】
【００１６】
以下、添付された図面を参照しつつ、本発明の実施形態を詳細に説明する。
【００１７】
本発明による画像表示装置は、図２を参照するに、ディスプレイ素子１００で形成された画像の中間像を形成するリレイレンズ群１１０と、リレイレンズ群１１０を通過した画像を一次的に拡大投影する投射レンズ群１３０と、投射レンズ群１３０からの画像をスクリーンＳに拡大反射させる反射部１４０とを有する投射光学系１５０を含む。
【００１８】
ディスプレイ素子１００は、受光されたビームを画像情報入力部（図示せず）から入力された画像情報によって変調して画像を形成する。ディスプレイ素子１００としては、例えば稼動ミラー装置（ＤＭＤ）、液晶表示素子（ＬＣＤ）、グレーティングライトバルブ（ＧＬＶ）、ＬＣＯＳ（リキッドクリスタルオンシリコン）などが使われうる。前記ＤＭＤは、複数個のマイクロミラーが二次元的に配列され、各マイクロミラーの稼動によって入射ビームが空間的に強度変調されて画像が形成される。
【００１９】
投射光学系１５０の具体的な実施例を図３に図示した。ディスプレイ素子１００とリレイレンズ群１１０との間に、ビームをディスプレイ素子１００方向に入射させ、ディスプレイ素子１００で形成された画像をリレイレンズ群１１０方向に送る全反射プリズム１０５が配置される。
【００２０】
投射レンズ群１３０は、リレイレンズ群１１０により形成された中間像を反射部１４０に一次的に拡大投射させ、反射部１４０は、投射レンズ群１３０からの画像を二次的に拡大投射させてスクリーンＳに送る。
【００２１】
反射部１４０は、平板ミラーであるか、または非球面ミラーであり、負のパワーを有して投射レンズ群１３０からの画像を発散させて拡大させる。また、反射部１４０は、プラスチックより形成されるのが望ましい。従って、投射レンズ群１３０と反射部１４０とにより超広角の画像が形成される。
【００２２】
リレイレンズ群１１０は、少なくとも１つのレンズを含み、ディスプレイ素子１００で形成された画像の中間像を形成し、反射部１４０で発生する歪曲を相殺するための第１歪曲を発生させるように設計される。次に、投射レンズ群１３０は、少なくとも１つのレンズを含んで前記第１歪曲と協同し、反射部１４０で発生する歪曲を相殺するための第２歪曲を発生させるように設計される。すなわち、反射部１４０で発生する歪曲を相殺する歪曲がリレイレンズ群１１０と投射レンズ群１３０とにより予備的に誘導される。
【００２３】
図３の投射光学系では、ディスプレイ素子１００とリレイレンズ群１１０と投射レンズ群１３０の光軸は、同軸に構成され、反射部１４０の光軸は、ディスプレイ素子１００の光軸にオフセットされて位置する。
【００２４】
図３を参照するに、反射部１４０で樽型歪曲が発生するとき、第１歪曲と第２歪曲として糸巻き型歪曲を発生させ、前記樽型歪曲を相殺する。従って、反射部１４０からスクリーンＳ側に反射された画像は、歪曲のほとんどない高画質の画像になる。
【００２５】
このように、本発明では、広角形成のために投射レンズ群１３０のような屈折光学系と、反射部１４０のような反射光学系とを備え、反射光学系で発生する歪曲をリレイレンズ群と投射レンズ群とで協同して相殺する第１及び第２歪曲が誘導される。
【００２６】
屈折光学系と反射光学系とを利用して効率的に光学系の画角を広角にすることができ、それにより画像表示装置の厚さを最小化できる。
【００２７】
一方、図４に図示されているように、投射光学系の厚さをさらに薄くするために、ディスプレイ素子１００から出射される光の経路上に少なくとも１つの光路変換器を備え、光路を曲げられる。光路変換器は、例えば反射ミラーまたは全反射プリズムでありうる。
【００２８】
例えば、リレイレンズ群１１０の内部に第１光路変換器Ｍ１を、リレイレンズ群１１０と投射レンズ群１３０との間に第２光路変換器Ｍ２を、投射レンズ群１３０と反射部１４０との間に第３光路変換器Ｍ３を備えうる。ここで、光路変換器は、画像表示装置の構造及びサイズにより、光の進行を妨害させない経路に多様な方式で配置されうる。
【００２９】
次に、本発明による投射光学系の具体的な設計データを示す。
半径        厚さ、またはレンズ間の距離            材質
OBJ:      INFINITY        2.796436  
STO:      INFINITY        0.000000  
2:      INFINITY        4.500000              FC5_HOYA
3:      INFINITY        2.857478  
4:      INFINITY        31.500000            BSC7_HOYA
5:      INFINITY        3.750000  
6:      138.75844      8.280000              530000.558000
非球面：
K  :    0.000000  KC:    100
IC  :    YES      CUF:    0.000000  CCF:    100
A  :0.370357E-05    B  :0.595265E-08  C  :0.622826E-11    D  :-.963985E-14
AC  :      0      BC  :      0      CC  :      0      DC  :      0
XDE:      0.000000    YDE:    -8.462589    ZDE:    0.000000
XDC:      100        YDC:    0            ZDC:    100
ADE:      0.000000    BDE:    0.000000      CDE:    0.000000
ADC:      100        BDC:    100          CDC:    100
7:        -66.68653            0.250000  
非球面：
K  :    0.000000    CUF:    0.000000    CCF:      100
A  :0.250570E-05    B  :0.233156E-07    C  :-.299779E-10    D  :0.100220E-13
AC  :    0        BC  :      0        CC  :        0        DC  :0
8:        25.92585          9.050000            585000.300000  
非球面：
K  :    0.000000    KC  :      100
IC  :    YES        CUF:    0.000000    CCF:    100
A  :-.809231E-05    B  :0.394152E-07    C  :-.418399E-10    D  :0.365897E-13
AC  :      0      BC  :      0      CC  :      0      DC  :      0
9:        34.01128        16.693085                            
非球面：
K  :    0.000000    KC  :    100
IC  :    YES        CUF:    0.000000    CCF:      100
A  :-.678826E-05  B  :0.348919E-07    C  :0.492448E-10    D  :-.655992E-13
AC  :      0      BC  :      0      CC  :      0      DC  :      0
10:      148.22470        3.000000          FD60_HOYA        
11:        21.70852        8.460000          BACD16_HOYA    
12:      -74.30484        0.931819                          
13:        INFINITY        5.347270                        
14:      -20.84671        6.560000          FDS90_HOYA        
15:      -25.42430      39.432636                            
16:        88.74154        9.500000          BACD16_HOYA        
17:      226.38703      130.338902                            
18:      245.86016      14.350000          NBFD11_HOYA      
19:      -284.65876        3.292052      
20:        58.51450        20.595944          NBFD11_HOYA    
21:      117.70609        21.122648                          
22:      -117.72384        7.000000          FD60_HOYA      
23:      106.58194        17.234922                        
24:      1530.78719        18.740000          FD60_HOYA    
25:      -80.72770        45.384350                        
26:        21.35497        5.000676          492000.572000    
SLB:  "a31"(lable)
ASP:
K  :    0.000000    KC  :      100
IC  :    YES        CUF:    0.000000    CCF:    100
A  :-.442430E-04    B  :-.621669E-07    C  :0.379227E-09  D  :-.573845E-12
AC  :      0      BC  :      0      CC  :      0      DC  :      0
27:        24.92272        0.263109
SLB:  "a32"
ASP:
K  :    0.000000    KC  :    100
IC  :    YES        CUF:    0.000000    CCF:    100
A  :-.290067E-04    B  :0.520341E-07    C  :0.138136E-09  D  :-.150310E-12
AC  :      0      BC  :        0      CC  :    0      DC  :      0
28:        25.57319      17.990480      BACD16_HOYA          
29:        26.92306        1.340263                            
30:        19.25781      13.924676      BACD16_HOYA          
31:      -17.81165        5.070000      FDS9_HOYA            
32:      -42.17431      23.521612                          
33:      -23.57450        6.000000      492000.572000        
SLB:  "a51"(lable)
ASP:
K  :    0.000000    KC  :    100
IC  :    YES        CUF:    0.000000    CCF:    100
A  :-.146704E-03    B  :-.485660E-06    C  :0.260530E-08  D  :-.119990E-10
AC  :      0      BC  :      0        CC  :      0  DC  :      0
34:        131.24572        2.842091                          
SLB:  "a52"(lable)
ASP:
K  :    0.000000    KC  :      100
IC  :      YES      CUF:    0.000000    CCF:      100
A  :-.840961E-04    B  :0.783544E-07    C  :-.129601E-09    D  :-.932680E-16
AC  :        0        BC  :        0        CC  :        0        DC  :        0
35:        -23.85229        5.130000        NBFD15_HOYA          
36:        -37.12781        5.464499                            
37:        -35.05967        8.000000        492000.572000        
SLB:  "a61"(lable)
ASP:
K  :    0.000000    KC  :      100
IC  :    YES        CUF:    0.000000    CCF:      100
A  :0.234861E-04    B  :-.617487E-07    C  :0.481096E-10    D  :-.130429E-13
AC  :    0          BC  :        0        CC  :        0        DC  :        0
38:        -90.20913        99.950000                            
SLB:  "l"(lable)
ASP:
K  :    0.000000    KC  :      100
IC  :    YES        CUF:      0.000000    CCF:      100
A  :-.982918E-05    B  :0.444483E-08    C  :-.494745E-11    D  :0.946184E-15
AC  :    0        BC  :        0          CC  :        0        DC  :        0
39:        INFINITY      -97.400000        REFL                    
SLB:  "m"(lable)
SPS  XYP:
IC  :      YES
SCO/SCC
X2:  1.7502E-03          Y2:  1.7342E-03        X2Y:  -4.6569E-06
SCC  C4:        0        SCC  C6:        0        SCC  C8:        0
Y3:  -6.2731E-06          X4:  -2.7828E-08        X2Y2:  -5.4611E-08
SCC  C10:        0        SCC  C11:        0        SCC  C13:        0
Y4:  -3.3816E-09        X4Y:  1.2384E-10        X2Y3:  2.3422E-10
SCC  C15:        0        SCC  C17:        0        SCC  C19:        0
Y5:  2.3965E-11          X6:  2.4256E-14        X4Y2:  3.8056E-13
SCC  C21:        0        SCC  C22:        0        SCC  C24:        0
X2Y4:  3.5202E-13          Y6:  9.6308E-14        X6Y:  2.3936E-16
SCC  C26:        0        SCC  C28:        0        SCC  C30:        0
X4Y3:  3.2006E-16        X2Y5:  -1.1911E-15          Y7:  1.0423E-16
SCC  C32:        0        SCC  C34:        0        SCC  C36:        0
X8:  1.2656E-17        X6Y2:  1.0115E-18        X4Y4:  -1.9730E-17
SCC  C37:        0        SCC  C39:        0        SCC  C41:        0
X2Y6:  -8.6550E-18          Y8:  -7.1187E-19        X8Y:  -8.4031E-20
SCC  C43:        0        SCC  C45:        0        SCC  C47:        0
X6Y3:  -2.2846E-20        X4Y5:  -4.5095E-21        X2Y7:  2.3931E-20
SCC  C49:        0        SCC  C51:        0        SCC  C53:        0
Y9:  -4.1720E-21        X10:  -1.6329E-22        X8Y2:  2.5535E-22
SCC  C55:        0        SCC  C56:        0        SCC  C58:        0
X6Y4:  6.0420E-24        X4Y6:  2.5305E-22        X2Y8:  -2.9495E-23
SCC  C60:        0        SCC  C62:        0        SCC  C64:        0
Y10:  5.6877E-24        BDX:  3.5000E+02        BDY:  3.0000E+02
SCC  C66:        0        SCC  C82:                SCC  C83:
BDZ:  3.0000E+02
SCC  C84:
XDE:    0.000000    YDE:    29.882489    ZDE:    0.000000    DAR
XDC:      100        YDC:        0        ZDC:      100
ADE:    -6.924326    BDE:    0.000000    CDE:    0.000000
ADC:        0        BDC:      100        CDC:      100
40:        INFINITY      152.000000  REFL                    
SLB:  "g2"(lable)
41:        INFINITY        0.000000                          
42:        INFINITY        0.000000                          
XDE:    0.000000    YDE:  636.488356    ZDE:    0.000000
XDC:      100        YDC:        0        ZDC:      100
ADE:    0.000000    BDE:    0.000000    CDE:    0.000000
ADC:      100        BDC:      100        CDC:      100
IMG:        INFINITY        0.000000                          
SPECIFICATION  DATA
NAO        0.20000
DIM              MM
WL          632.80    546.07    460.00
REF              2
WTW              1          1          1
XOB        0.00000        8.86000        4.43000        8.86000        4.43000
0.00000        6.64000        4.43000        8.86000        0.00000
6.64000
YOB        0.00000        0.00000        0.00000      -4.98000      -4.98000
-4.98000      -3.32000        4.98000        4.98000        4.98000
3.32000
WTF        1.00000        1.00000        1.00000        1.00000        1.00000
100.00000        1.00000        1.00000        1.00000        1.00000
1.00000
VUX        0.00000        0.00000        0.00000        0.00000        0.00000
0.00000        0.00000        0.00000        0.00000        0.00000
0.00000
VLX        0.00000        0.00000        0.00000        0.00000        0.00000
0.00000        0.00000        0.00000        0.00000        0.00000
0.00000
VUY        0.00000        0.00000        0.00000        0.00000        0.00000
0.00000        0.00000        0.00000        0.00000        0.00000
0.00000
VLY        0.00000        0.00000        0.00000        0.00000        0.00000
0.00000        0.00000        0.00000        0.00000        0.00000
0.00000
APERTURE  DATA/EDGE  DEFINITIONS
CA
APERTURE  data  not  specified  for  surface  Obj  thru  43
REFRACTIVE  INDICES
GLASS  CODE                    632.80        546.07        460.00
FC5_HOYA                      1.486014      1.489142      1.494026
BSC7_HOYA                    1.515086      1.518719      1.524422
FDS9_HOYA                    1.839565      1.855036      1.882227
FDS90_HOYA                    1.839557      1.855048      1.882330
BACD16_HOYA                  1.618237      1.622862      1.630197
FD60_HOYA                    1.798849      1.812631      1.836802
NBFD15_HOYA                  1.801166      1.811837      1.829942
492000.572000                1.490193      1.494050      1.500226
492000.572000                1.490193      1.494050      1.500226
492000.572000                1.490193      1.494050      1.500226
NBFD11_HOYA                  1.782176      1.790150      1.803176
585000.300000                1.581055      1.589610      1.604296
530000.558000                1.528009      1.532263      1.539099
INFINITE  CONJUGATES
EFL        -8.0684
BFL      -379.4730
FFL        -2.5970
FNO          0.0000
AT  USED  CONJUGATES
RED        -40.4490
FNO      -101.1224
OBJ  DIS      2.7964
TT        675.5649
IMG  DIS      0.0000
OAL        672.7685
PARAXIAL  IMAGE
HT        134.2905
THI      -53.1149
ANG          0.0000
ENTRANCE  PUPIL
DIA    0.4082E+10
THI    0.1000E+11
EXIT    PUPIL
DIA        3.2939
THI      -379.4730
図５は、本発明による画像表示装置に表示される光スポットをフィールド位置別に表したものであり、図６は、歪曲を表したものであり、画質が良好に表されうることが分かる。
【００３０】
本発明では、屈折光学系と反射光学系とを利用して効果的に広角を形成することにより、同じ大きさのスクリーンに画像を投影する場合に、既存の画像表示装置でより厚さを薄くすることが可能である。
【産業上の利用可能性】
【００３１】
本発明の薄型投射光学系、及びこれを採用した画像表示装置は、例えば画像表示関連の技術分野に効果的に適用可能である。
【図面の簡単な説明】
【００３２】
【図１】従来の画像表示装置を概略的に表した図である。
【図２】本発明による画像表示装置を概略的に表した図である。
【図３】本発明による投射光学系の一実施形態を表した図である。
【図４】図３に図示された投射光学系の配列を変形した例を表した図である。
【図５】本発明による画像表示装置を介して表示されたフィールド位置による光スポットを表した図である。
【図６】本発明による画像表示装置を介して表示された画像の歪曲を表した図である。
【符号の説明】
【００３３】
１００    ディスプレイ装置
１０５    全反射プリズム
１１０    リレイレンズ
１３０    投射レンズ群
１４０    反射部
１５０    投射光学系
Ｓ    スクリーン
【図１】
2006091867.tif 000003
【図２】
2006091867.tif 000004
【図３】
2006091867.tif 000005
【図４】
2006091867.tif 000006
【図５】
2006091867.tif 000007
【図６】
2006091867.tif 000008